(57)【要約】  本発明は、温室、特に、熱および水の損失を最小限に抑えながら成長環境の状態を調節する、乾燥環境での使用に適した閉鎖された温室環境に関する。温室は、大型水生植物成長システムでの使用に特に適している。【選択図】  図１
2020532319.tif 000002
【特許請求の範囲】
【請求項１】
温室であって、
第１のサブアセンブリであって、
レールと、
第１のクランプ手段とを備える、第１のサブアセンブリを備え、
前記温室がさらに、
光を少なくとも部分的に通すことができるように構成されたカバーと、
ライナとを備え、
前記第１のサブアセンブリ、前記カバー、および前記ライナが、閉鎖システムを形成するように互いに協働する、温室。
【請求項２】
前記第１のクランプ手段が、
前記レール内の第１の受容部分と、
前記第１の受容部分に受容されるように構成された第１のインサートとを備える、請求項１に記載の温室。
【請求項３】
前記第１の受容部分および前記第１のインサートが、スナップ嵌め接続により協働し、または
前記第１の受容部分および前記第１のインサートが、締まり嵌め接続により協働する
、請求項２に記載の温室。
【請求項４】
前記カバーの少なくとも一部分が、前記第１のクランプ手段によってクランプされる、請求項１〜３のいずれか一項に記載の温室。
【請求項５】
前記レールおよび／または前記第１のクランプ手段が、鋼、アルミニウム、またはそれらの組み合わせを含む、請求項１〜４のいずれか一項に記載の温室。
【請求項６】
前記レールおよび／または前記第１のクランプ手段が、保護コーティングを備える、請求項１〜５のいずれか一項に記載の温室。
【請求項７】
前記第１の受容部分および前記第１のインサートが、細長い、請求項２〜６のいずれか一項に記載の温室。
【請求項８】
前記第１のサブアセンブリが、前記第１のクランプ手段から離間された第２のクランプ手段をさらに備える、請求項１〜７のいずれか一項に記載の温室。
【請求項９】
前記第２のクランプ手段が、前記レール内の第２の受容部分と、前記第２の受容部分に受容されるように構成された第２のインサートとを備える、請求項１〜８のいずれか一項に記載の温室。
【請求項１０】
前記第２の受容部分および前記第２のインサートが、スナップ嵌め接続により協働し、または
前記第１の受容部分および前記第１のインサートが、締まり嵌め接続により協働する、請求項９に記載の温室。
【請求項１１】
前記ライナの少なくとも一部分が、前記第２のクランプ手段によってクランプされる、請求項８〜１０のいずれか一項に記載の温室。
【請求項１２】
前記レールおよび／または前記第２のクランプ手段が、鋼、アルミニウム、またはそれらの組み合わせを含む、請求項８〜１１のいずれか一項に記載の温室。
【請求項１３】
前記レールおよび／または前記第２のクランプ手段が、保護コーティングを備える、請求項８〜１２のいずれか一項に記載の温室。
【請求項１４】
前記第２の受容部分および前記第２のインサートが、細長い、請求項８〜１３のいずれか一項に記載の温室。
【請求項１５】
前記第２のクランプ手段が、前記第１のクランプ手段の内部に配置される、請求項８〜１４のいずれか一項に記載の温室。
【請求項１６】
前記カバーおよび前記ライナの少なくとも一部分が、前記第１のクランプ手段によってクランプされる、請求項１〜７のいずれか一項に記載の温室。
【請求項１７】
前記カバーが、少なくとも部分的に半透明であるか、または少なくとも部分的に透明である、請求項１〜１６のいずれか一項に記載の温室。
【請求項１８】
前記カバーが、可撓性材料を含む、請求項１〜１７のいずれか一項に記載の温室。
【請求項１９】
前記カバーが、ポリマ材料を含む、請求項１〜１８のいずれか一項に記載の温室。
【請求項２０】
トラスをさらに備える、請求項１〜１９のいずれか一項に記載の温室。
【請求項２１】
前記トラスが、前記閉鎖システムの外部にある、請求項２０に記載の温室。
【請求項２２】
前記トラスが、
前記温室の第１の端部に配置された第１のアンカー部材と、
前記温室の第２の端部にある第２のアンカー部材と、
前記第１のアンカー部材と前記第２のアンカー部材との間に懸架された接続部材とを備え、
使用中、前記接続部材が、前記カバーを適所に保持するために前記カバーと協働する、請求項２０または２１に記載の温室。
【請求項２３】
前記接続部材が、線材である、請求項２２に記載の温室。
【請求項２４】
前記カバーが、前記接続部材と協働するための１つまたは複数の取り付け手段を備える、請求項２２または２３に記載の温室。
【請求項２５】
前記カバーをその上または下で伸展させることができる支持フレームをさらに備える、請求項１〜１９のいずれか一項に記載の温室。
【請求項２６】
前記支持フレームが、複数の剛性部材を備える、請求項２５に記載の温室。
【請求項２７】
前記ライナの外部に配置されたベースシートをさらに備える、請求項１〜２６のいずれか一項に記載の温室。
【請求項２８】
スクリーンをさらに備える、請求項１〜２７のいずれか一項に記載の温室。
【請求項２９】
前記スクリーンが、少なくとも部分的に吸収性または反射性である、請求項２８に記載の温室。
【請求項３０】
前記スクリーンが、前記カバーに入射する光の量を変えるために、少なくとも第１の位置と第２の位置との間で移動可能である、請求項２８または２９に記載の温室。
【請求項３１】
少なくとも１つの受動緩衝システムをさらに備える、請求項１〜３０のいずれか一項に記載の温室。
【請求項３２】
前記受動緩衝システムが、熱緩衝材、乾燥剤、ＣＯ２緩衝剤、またはそれらの組み合わせから選択される、請求項３０に記載の温室。
【請求項３３】
空調手段をさらに備える、請求項１〜３２のいずれか一項に記載の温室。
【請求項３４】
第２のサブアセンブリをさらに備え、前記第１および第２のサブアセンブリ、前記カバーならびに前記ライナが、閉鎖システムを形成するように互いに協働する、請求項１〜３３のいずれか一項に記載の温室。
【請求項３５】
前記レールが、前記第１のクランプ手段と前記第２のクランプ手段との間に配設された内側バーをさらに備え、前記内側バーが、１つまたは複数の内側バー特徴を備える、請求項１〜３４のいずれか一項に記載の温室。
【請求項３６】
前記内側バーが、前記内側バーに沿って移動可能な１つまたは複数のキャリッジをさらに備え、前記キャリッジに対して、前記１つまたは複数の内側バー特徴が取り付けられ得る、請求項３５に記載の温室。
【請求項３７】
前記内側バーが、センサ、スプリンクラ、カメラ、収集手段、熱交換器、ライト、およびそれらの組み合わせからなる群から選択される１つまたは複数の内側バー特徴を備える、請求項３５または３６に記載の温室。
【請求項３８】
温室サブアセンブリであって、
レールと、
第１および第２のクランプ手段と、
前記第１のクランプ手段と前記第２のクランプ手段との間に配設されたブリッジング部分とを備える、温室サブアセンブリ。
【請求項３９】
前記クランプ手段が、それぞれ第１および第２のインサートを受容するようにそれぞれなっている第１および第２の受容部分を備える、請求項３８に記載の温室サブアセンブリ。
【請求項４０】
前記第１および第２の受容部分と、前記第１および第２のインサートとが、スナップ嵌め接続により協働する、請求項３９に記載の温室サブアセンブリ。
【請求項４１】
前記ブリッジング部分が、その上の結露を促進するようになっている、請求項３８〜４０のいずれか一項に記載の温室サブアセンブリ。
【請求項４２】
前記ブリッジング部分が、結露を促進するように冷却されおよび／または表面改質される、請求項４１に記載の温室サブアセンブリ。
【請求項４３】
前記レールが、沈降物を収集するように構成された凹部を備える、請求項３８〜４２のいずれか一項に記載の温室サブアセンブリ。
【請求項４４】
前記凹部が、前記ブリッジング部分からの沈降物を収集するように構成される、請求項４４に記載の温室サブアセンブリ。
【請求項４５】
前記ブリッジング部分が内側バーを備える、請求項３８〜４４のいずれか一項に記載の温室サブアセンブリ。
【請求項４６】
前記レールと協働するようになっている少なくとも１つの支持要素をさらに備える、請求項３８〜４５のいずれか一項に記載の温室サブアセンブリ。
【請求項４７】
前記サブアセンブリが、単一の材料片から製造される、請求項３８〜４６のいずれか一項に記載の温室サブアセンブリ。
【請求項４８】
前記単一の材料片が、シート材料、通常は金属である、請求項４７に記載の温室サブアセンブリ。
【請求項４９】
前記レールと協働するようになっている第１および第２の支持要素を備える、請求項３８〜４８のいずれか一項に記載の温室サブアセンブリ。
【請求項５０】
前記レールが、前記第１の支持要素と前記第２の支持要素とを接続する桟を備える、請求項４９に記載の温室サブアセンブリ。
【請求項５１】
前記第１および／または第２の支持要素が、地面に対して前記レールを安定させるように構成されたアンカーを備える、請求項４９または５０に記載の温室サブアセンブリ。
【請求項５２】
大型水生植物を成長させるための請求項１〜３７のいずれか一項に記載の温室の使用。
【請求項５３】
温室であって、
光を少なくとも部分的に通すことができるように構成されたカバーと、
ライナと、
第１のサブアセンブリとを備え
前記第１のサブアセンブリが、
前記カバーおよび／または前記ライナを適所に保持するための複数の手段と、
第１のクランプ手段とを備え、
前記第１のサブアセンブリ、前記カバー、および前記ライナが、閉鎖システムを形成するように互いに協働する、温室。
【発明の詳細な説明】
【技術分野】
【０００１】
本発明は、閉鎖システムを提供するため、特に、制限的ではないが、温室が敵対的な成長環境に配置される場合に閉鎖システム内に制御された雰囲気を提供するための配置を備える温室に関する。
【背景技術】
【０００２】
世界中で深刻な食糧不足があり、気候が快適でなくなるにつれて、この問題は増加する可能性があることが十分に確立されている。気候が変化するにつれて、従来の農業に利用できる土地も小さくなっている。
【０００３】
したがって、食料生産を改善し、農業目的のために地球の表面をより有効に活用するための革新的なアプローチが求められる。関心のある１つの特定の地域は、砂漠である。砂漠は通常、降水量の少ない不毛の地域として特徴付けられ、必ずしも暑い必要はない。ほとんどの無極性砂漠は、年間を通して大量の日光を受ける。この日光は、光合成の促進には非常に優れているが、通常、わずかな水分も環境から除去する。さらに、地球の気候が暖かくなるにつれて、世界の砂漠は、毎年拡大している。また、これらの無極性砂漠は、気温が大幅に変動する傾向があり、多くの場合、１日で１５℃から２０℃も変動する。これらの要因は、植物にとって大きな課題となる。
【０００４】
通常、温室内の、調節された雰囲気を有する閉鎖システム内で作物を保護することにより、そのような環境内での蒸発による水分損失を防止することができる。これは、雰囲気への蒸発による水分の損失（つまり、水蒸気）を防止するだけでなく、地面から液体の水が漏れるのも防止する。
【０００５】
温室の組み立ておよび設置に関しては、このような環境では、アクセスが難しく、組み立て前に構成要素を長距離輸送することを必要とする場合がある。さらに、このような環境は通常、信頼できるグリッド電源に接続されていない。したがって、必要とされる電力は、そのため、携帯用発電機またはバッテリ電源によって供給されなければならない。さらに、世界の一部の地域では、電力は信頼できない。
【０００６】
砂漠のような環境への設置に適した密閉された成長環境内で、温度、湿度、二酸化炭素の状態を制御するためのシステムが必要である。
【０００７】
本発明は、上記の問題に対処するか、または少なくとも改善することを意図している。
【発明の概要】
【０００８】
本発明の第１の態様によれば、温室であって、第１のサブアセンブリであって、第１のクランプ手段を備えるレールを備える第１のサブアセンブリと、光を少なくとも部分的に通すことができるように構成されたカバーと、ライナとを備え、第１のサブアセンブリ、カバーおよびライナが、閉鎖システムを形成するように互いに協働する、温室が提供される。クランプ手段の目的は、レール、カバーおよびライナが閉鎖システムを形成するように、カバーおよび／またはライナをレールに対して適所に保持することである。クランプ手段がどのように機能するかについての特定の制限はなく、これは、接着剤、重り、超音波溶接、ステープリング、または一方向の幾何学的抵抗または摩擦抵抗などの他の締まり嵌め形状を使用して達成され得る。
【０００９】
通常、第１のクランプ手段は、レール内の第１の受容部分、および第１の受容部分内に受容されるように構成された第１のインサートとして提供され、それにより、使用中、カバーおよび／またはライナは、第１の受容部分の空洞と第１のインサートとの間にクランプされる。
【００１０】
この配置は、組み立てが簡単で容易である閉鎖システムを提供するという利点を有する。このような利点は、砂漠などの困難な環境内で温室を組み立てるときに特に有用である。このような配置はまた、構成要素と信頼性の高い閉鎖システムとの間に信頼性の高いシールを提供するという利点も有する。
【００１１】
本明細書で使用する「閉鎖システム」という用語は、成長雰囲気、好ましくは成長環境全体が外部環境と連通できない（すなわち物理的に接触できない）閉鎖環境を意味することを意図している。これにより、温室内の空気が漏れるのを防ぎ、故に対流による熱の損失を防止する。また、水蒸気、酸素、ＣＯ２など、空気中に存在する貴重な成長材料の損失も防止する。これにより、温室の底から水および栄養分が漏れることも防止される。温室は、温室内の雰囲気および／または流体を、成長チャンバと空気処理システムとの間で連続ループで再循環させることが好ましいが、これは必須ではない。温室がガス交換機構、すなわち環境から温室内の空気の調節された導入および／または温室から環境への空気の排出を行うためのシステムを備える場合もあり得る。これは、当業者によく知られている弁および他の方法を使用して達成することができる。そのようなシステムは、成長環境と外部環境との間の自由な流れを許容することなく、温室内の状態を制御する代替方法を提供する。
【００１２】
「温室」という用語は、ガラス構造のみを包含すると解釈されることを意図するものではなく、作物を栽培するためのあらゆる構造を対象とすることを意図している。前記温室に関連する最小サイズまたは特定の寸法は存在しない。通常、温室の深さは０．２５ｍより大きく、より多くは０．３ｍから５．０ｍの範囲内、好ましくは０．５ｍから４．０ｍの範囲、より好ましくは０．５ｍから３ｍの範囲であり得る。通常、温室の深さは、０．４から２ｍ、より理想的には０．５から１ｍの範囲内であり得る。通常、そのような温室は、長さが５０ｍ以上のもの、より典型的には長さが５０ｍから２ｋｍの範囲内、より一般的には１００ｍから１ｋｍ、好ましくは５００ｍから７５０ｍの範囲内、より好ましくは６００ｍから８００ｍの範囲内、さらに好ましくは、１５０ｍから５００ｍの範囲内であり得る。多くは、温室の長さは、５０ｍから２００ｍの範囲内である。通常、そのような温室の幅は、１０ｍから１００ｍの範囲内、好ましくは５０ｍから６０ｍの範囲内であってよく、多くは１３ｍから５０ｍの範囲内であり、時には１０ｍから３０ｍの範囲内、またはより典型的には８ｍから２０ｍの範囲内である。温室を略または部分的でも透明な材料で作製する必要はない。しかし、温室は、通常の場合、その中に含まれる作物に光が届くようにするために、透明部分を含む。上記で述べたように、温室は、植物の成長が起こり得る成長チャンバを画定する閉鎖システムを形成するように互いに協働する第１のサブアセンブリ、カバーおよびライナを備える。第１のサブアセンブリ、カバー、およびライナは、例えば第１のサブアセンブリ、カバー、ライナ内、および／または閉鎖システムを囲む構成要素内のパッド入り材料または一体型エアポケットの形態で、熱損失を避けるために断熱材を含むことができる。さらに、温室は、温室の内部温度が許容温度条件の上限を超えるか、またはそれに近づく状況で、熱を放射または吸収するようになっている領域を有することもできる。これらは、外部環境と接触する熱伝導性材料の部分であることができる。そのような部分は、熱伝達率を高めるために温室の表面積を最大化するようになっている形状を有することができる、第１のサブアセンブリ、カバー、ライナまたはそれらの組み合わせの部分であることができる。
【００１３】
温室の第１のサブアセンブリおよびカバー全体は、透明な材料から作製されてもよく、または透明な材料から作製された複数の窓を備えてもよい。使用される透明材料の選択は、ガラスに限定されない。通常、カバーは、透明な材料から作製される。適切な形状に製造することができれば、どのような透明材料でも十分である。例えば、アモルファス結晶構造を持つ任意の材料が適し得る。多くは、透明なポリマ材料が、透明な材料として使用される。材料の複数の層を使用し、および／または一緒に積層することができる。さらに、材料は、結露、結露防止、防汚、および当業者によく知られている他の特性を促進するようにカスタマイズされても、またはコーティングされてもよい。当業者は、ポリエチレンまたはポリプロピレンまたはその誘導体などのそのような目的に適した様々な典型的なポリマに精通しているであろう。通常の場合、可撓性ポリマは、そのような材料が簡単に輸送でき、砂漠の条件においてより良い性能および耐久性を有することが多いため、使用される。例えば、ガラスは強風で傷付きやすくなる可能性があり、それによって光学特性を損なう可能性があり、輸送中に割れやすくなる可能性がある。非脆性の丈夫な材料が、好ましい。さらに、粉砕されたガラスが成長環境内に行き着き、危険をもたらす可能性がある。透明材料、特にカバーの透明材料は、材料の反射率を制御する、または材料の熱特性を増強するように強化されるか、または改質され得る。１日の特定の時間に温室の外面に入射する太陽光の量を制御するために、シェーディングを採用することもできる。このようなシェーディングは、温室内または温室の外部、通常は外部に位置するスクリーンによって提供され得る。
【００１４】
ライナは通常、流動床を含むことに対処するために堅牢な防水材料から製造される。このタスクに適した材料の典型的な例は、それだけに限定されないが、ポリエテン（すなわち、ポリエチレン）、ＰＶＣ、ゴム、またはそれらの組み合わせを含む。
【００１５】
レールは、第１のクランプ手段から離間した第２のクランプ手段をさらに備えることができる。通常、第２のクランプ手段は、レール内の第２の受容部分、および第２の受容部分内に受容されるように構成された第２のインサートとして提供される。これは、レール上に２つのシール可能な部品を提供するという利点を有し、その部分間に特徴を取り付けるか、または含めることができる。この構成では、そのような特徴は、閉鎖システム内側にある。
【００１６】
第１のサブアセンブリの第１の受容部分および第１のインサートは、スナップ嵌め接続または締まり嵌め接続によって協働することができる。第１のサブアセンブリの第２の受容部分および第２のインサートもまた、スナップ嵌め接続または締まり嵌め接続によって協働することができる。スナップ嵌め接続または締まり嵌め接続は、インサートの直径を受容部分の開口部の直径より広くすることによって達成される。受容部分は、インサートを部分的に挿入すると弾性変形し、インサートを完全に挿入すると少なくとも部分的に弾性変形して弾性変形の少ない位置に戻るように構成される。少なくとも部分的に元の位置に戻る弾性変形のプロセスは、「スナップ」バックと呼ばれることが多い。インサートを完全に挿入すると、受容部分はその元の状態、すなわち巨視的なレベルで応力がかかっていない状態になり得る。完全に挿入された状態では、インサートを受容部分から取り外すためのエネルギー障壁が存在する。したがって、インサートおよび受容部分は、スナップ嵌め接続によって固定して取り付けられる。締まり嵌め接続は、上記で説明したスナップ嵌め接続と同様であり、本発明でも想定される。これは、インサートの直径を受容部分の開口部の直径より広くすることによって達成される。しかし、インサートは、受容部分内に部分的に挿入されると弾性変形するように構成され、また、インサートは、受容部分内に完全に挿入されると少なくとも部分的に弾性変形し、弾性変形の少ない位置に戻るように構成される。したがって、インサートは（完全に挿入されたとき）受容部分を弾性的に押さえつけ、それによってそこに含まれる材料を捕捉する。さらに、説明した２つの機構のいずれにおいても、受容部分ごとに２つ以上のインサートが使用され得る。
【００１７】
クランプ手段はスナップ嵌め接続または締まり嵌め接続であることが多いが、ライナおよびカバーと共に閉鎖システムを形成するために使用されるクランプ手段は、他の技術を使用してもよい。例えば、そのような技術は、溶接、接着、ロールシーミング、縫製、またはそれらの組み合わせを含むことができる。
【００１８】
カバーおよびライナは、溶接を使用して接合され得る。通常、カバーおよびライナはポリマ材料であるため、前記溶接は、熱溶接または超音波溶接を使用して、カバーと線材との間に継ぎ目を作りだす。あるいは、接着剤を使用して、カバーおよびライナの端部同士を結合させ、それにより成長チャンバをシールすることができる。接着剤を使用して、接合されたカバー／ライナをレールに結合させることもできる。また、カバーおよびライナの端部同士を互いに接触させて保持するために、継ぎ目を作りだすこともでき、継ぎ目は、ロール状の継ぎ目、縫い合わされた継ぎ目、または他の同様の接合技術の形をとることできる。次いで、カバーおよびライナの接合された端部をレールに取り付けるか、またはいくつかの実施形態では、柱または樋に直接、取り付けることができる。
【００１９】
カバーの少なくとも一部分は、第１のクランプ手段によって、より典型的には第１の受容部分と第１のインサートとの間にクランプされ得る。クランプされた状態では、第１のインサートが第１の受容部分に完全に挿入されたときに、カバーは、第１の受容部分と第１のインサートとの間に少なくとも部分的にあり得る。第１の受容部分と第１のインサートとの間にスナップ嵌め接続を組み込んだ配置は、組み立てが簡単で容易である閉鎖システムを提供するという利点を有する。このような配置はまた、ねじおよび別個の取付具などの小さな構成要素を必要とせずに、構成要素間の信頼性の高いシールおよび信頼性の高い閉鎖システムを提供するという利点も有する。ライナの一部分は、第２のクランプ手段によって、より典型的には第２の受容部分と第２のインサートとの間にクランプされ得る。これは、ライナをサブアセンブリのレール内に簡単に接続できるため、有効である。したがって、カバー、レールおよびライナのそれぞれは、閉鎖システムを効率的に形成するように一緒に接続することができる。いくつかの実施形態では、カバーおよびライナは、同じ構成要素である。特に、カバーの１つの端部を第１のクランプ手段（通常は第１の受容部分）に接続することができ、カバーの他の端部を第２のクランプ手段（通常は第２の受容部分）に接続することができ、それによって成長チャンバを画定する。
【００２０】
通常、レール、第１のクランプ手段および第２のクランプ手段（通常は第１のインサートおよび第２のインサート）はそれぞれ独立して、金属、通常は鋼またはアルミニウムを含む（鋼が使用されることが多い）。クランプ手段の構成要素は、同じ材料から製造する必要はない。（レールの一部となり得る）受容部分は、鋼から作製されてもよく、インサートは、アルミニウムで作製されてもよい。あるいは、インサートをプラスチック、または任意の弾性変形可能な材料から作製することができ、受容部分をアルミニウムから製造することができる。鋼、特に冷間圧延可能鋼を使用することは、これが、押し出し、成形、または別の適切な現場製造技術によって製造できるため、有効である。例えば、レールおよび／または第１のインサートは、現場で押し出し、ロール、敷設、またはその他の方法で配備することができる。代替的または追加で、レール、第１のクランプ手段および第２のクランプ手段（通常、第１のインサートおよび第２のインサート）は、それぞれ独立して保護コーティングを備える。コーティングを施与して、材料の防錆性を向上させ、システムの壁の反射率を高め、またはレール、第１のインサートおよび／または第２のインサートの表面特性を別の形で改質することができる。
【００２１】
さらに、第１の受容部分、第２の受容部分、第１のインサートおよび第２のインサートは、それぞれ独立して細長くてもよい。第１および／または第２のインサートは、平坦、長方形、台形または角柱形、または任意の他の適切な細長い形状であってもよい。好適には、第１および／または第２のインサートは、少なくとも１：５（直径：長さ）のアスペクト比を有する円筒状、または少なくとも略円筒状である。しかし、インサートは、略正弦波形状のワイヤ／方形波形状のワイヤなどの変形したワイヤであってもよい。第１のインサートは、第１の受容部分の長さよりも短い長さを有することができ、第２のインサートも、第２の受容部分の長さより短い長さを有することができる。したがって、第１および第２の受容部分それぞれごとに設けられた１つまたは複数の第１のインサートまたは第２のインサートが提供され得る。好適には、第２のインサートは、第１のインサートと同じである。第２のクランプ手段（通常は第２の受容部分）は、第１のクランプ手段（通常は第１の受容部分）の内部に配置され得る。あるいは、第１および第２のインサートは、それぞれ第１および第２の受容部分の長さよりも長い長さを有してもよく、ここでは複数の受容部分が互いに接合される。
【００２２】
あるいは、第１および第２のインサートは、それぞれ第１および第２の受容部分の長さに等しい長さを有してもよい。第１のインサートおよび／または第２のインサートは、第１および第２の受容部分それぞれの長さの略すべてに沿って設けられて、受容部分の長さに沿った「隙間」を回避することが望ましい。これは、通常、良好なシールを提供して、閉鎖システム内からの雰囲気の漏れを最小限に抑えるため、望ましいものである。
【００２３】
カバーは、少なくとも部分的に半透明、または少なくとも部分的に透明であり得る。カバーは、可撓性材料を含むことができる。カバーは、ポリマ材料を含むことができる。これは、上記で説明した閉鎖システム構成と互換性のある、軽量で耐久性があり、比較的安価な構成要素を提供するという利点を有する。可撓性であるため、温室に組み込む前にカバーを折り畳むか、または丸めることができる。これは、簡単に運搬できる比較的コンパクトな構成要素を提供するという利点があり、ここではカバーを広げて温室に組み付けることができる。カバーは、全体がシート状であり、開口部がなくてもよく、または一連の開口部を有してもよい。カバー内の開口は、カバーをレールおよびライナと組み合わせて画定された成長チャンバをシールすると共に、温室を適所に保持するように構成された外部構造と協働するようになっている上側固定アセンブリの少なくとも一部を受け入れるように構成され得る。特に、そのような配置は、前記上側固定アセンブリによって、カバーが懸架配置で支持されることを可能にし得る。
【００２４】
上側固定アセンブリは、懸架システムに取り付けるのに適した固定具と、温室のカバー内の開口部と協働して閉鎖システムを形成するようになっているシーリング部材とを備えることが多い。シーリングシステムは、ディスク形状であってもよく、通常、カバーの対応する開口よりも大きくなるように構成されるか、あるいは、シーリングシステムは、カバー内の対応する開口への挿入に合わせて構成されてもよい。多くは、シーリングシステムおよび固定具は、通常はロープまたはワイヤなどのコネクタによって結合される。加えて、シーリングシステムは、ポリマ材料から作製されてもよく、通常、カバーと同じ材料から作製される。シーリングシステムは、接着剤、クリップ、および／またはカバーの材料とシーリングシステムの材料を一緒にヒートシールすることにより、カバーに締結され得る。これは、カバーの形状を維持するために、複数の場所でカバーを懸架システムに接続できるため、有効である。最も一般的には、超音波溶接が、閉鎖システムを形成するために使用される。
【００２５】
温室は、トラスをさらに備えることができる。トラスは、温室の第１の端部に配置された第１のアンカー部材と、温室の第２の端部にある第２のアンカー部材と、第１のアンカー部材と第２のアンカー部材との間に懸架された接続部材とを備えることができ、使用中、接続部材は、カバーを適所に保持するためにカバーと協働する。「トラス」という用語は、複数の支柱を備える構造体を含む場合があるが、同様に「電話ポール」配置などの単一の構造的構成要素であってもよく、一般的に、温室を直立または配備された形で維持するようになっている付随するまたは一体の支持構造体を包含することを意図している。トラスは通常、力または曲げモーメントを変換するように構成される。トラスは、目立った変形、クリープまたは疲労なしにこれを行うことができる。トラスは、閉鎖システムの外部であってもよい。接続部材は、張力をかけることができる線材、ワイヤ、ケーブルまたは同様の要素であってもよい。懸架配置は、通常は可撓性材料から形成された温室に構造を提供し、特に遠隔環境内で有用である、完全な温室構造体を構築するために必要とされる実質的な工事の量を最小限に抑えるという利点を有する。さらに、そのような配置は、大規模な用途に適しており、温室の正確なサイズは、目的の環境に利用可能な空間に基づいて正確に調整することができる。トラスが温室の全長にわたってカバーを支持することを確実にするために、特にトラスが特に長い状況では、追加の支柱またはパイロンが提供される場合があり得る。特に、前記支柱またはパイロンは、温室の片側または両側に配置することができ、温室両端において２つのアンカー固定点間にワイヤが懸架されている懸架配置では特に有効である。
【００２６】
通常、接続部材は、線材であり、多くは、張力下の使用に適した材料を含む。温室の高さは、線材またはワイヤの張力を変更することによって調整できるため、これは有効である。カバーは、上側固定アセンブリの固定と協働するための１つまたは複数の取り付け手段を備えることができる。
【００２７】
ライナの外部に配置されたベースシートも存在することができる。ベースシートは、地面との接触からの損傷または摩耗からライナを保護するためのグランドカバーであってもよい。ベースシートは、リッジ付き材料および／または補強材料であってもよい。ベースは、所望の幾何学形状になるように、平面状またはトラフ状であってもよい。ベースは、使用中に流動床内にチャネルを作りだすように成形されてもよい。
【００２８】
温室は、さらにスクリーンを備えることができる。スクリーンは、閉鎖システムに日陰を付ける機能を有する。これは、カバーおよび成長チャンバに入射する光を制御できるため、有効である。これにより、さらにチャンバ内の温度および発生する光合成の量を制御することができる。スクリーンは、必要とされる日陰の量に応じてその面積を変更するために、折り畳み可能であってもよく、または伸縮自在の配置を有するように構成されてもよい。スクリーンは、少なくとも部分的に吸収性または反射性であり得る。スクリーンは、カバーに入射する光の量を変えるために、少なくとも第１の位置と第２の位置との間で移動可能であり得る。スクリーンは外部から、またはセンサ出力に応じてスクリーンを移動させる閉回路システムによって制御され得る。スクリーンは、閉鎖システム内の光の状態を特定のレベルに維持するために移動して、外部環境の光レベルの変動および／または成長チャンバ内の状態に応答して作用することができる。
【００２９】
温室は、少なくとも１つの受動緩衝システムをさらに備えることができる。受動緩衝システムは、熱緩衝材、乾燥剤、ＣＯ２緩衝剤、またはそれらの組み合わせから選択され得る。「受動緩衝」という用語は、これが、対象のパラメータを調整するために、通常は電力である動力を必要としないことを意図している。緩衝は、自動的に行われる。そのようなシステムは最大の緩衝容量を有し、望ましいレベルの制御を提供するために、すなわち打ち負かされることなく、それらは、十分な量で提供されなければならず、（または少なくとも十分な容量を有さなければならず）、また、適切な速度で緩衝できなければならない。例えば、炭酸塩溶液への吸収速度および炭酸塩溶液からの吸収速度は、理想的には、成長チャンバ内で成長する植物の需要を満たすのに十分でなければならない。温室は、空調手段をさらに備えることができる。
【００３０】
温室は、第２のサブアセンブリをさらに備えることができ、第１および第２のサブアセンブリ、カバー、ならびにライナは、閉鎖システムを形成するように互いに協働する。詳細には、カバーの一方の端部を第１のサブアセンブリの第１のクランプ手段間にクランプすることができ、カバーの別の端部を第２のサブアセンブリの第１のクランプ手段間にクランプすることができる。同様に、ライナの一方の端部を第１のサブアセンブリの第２のクランプ手段によってクランプすることができ、ライナの別の端部を第２のサブアセンブリの第２のクランプ手段によってクランプすることができる。これにより、第１および第２のサブアセンブリの両方でレールの第１のクランプ手段と第２のクランプ手段との間にブリッジング部分がある配置が提供される。そのようなブリッジング部分は、様々な目的のために機能化され得る。例えば、ブリッジング部分は、それぞれ独立して、閉鎖システム内の状態を監視およびまたは維持するようになっている特徴を備えることができる。
【００３１】
ブリッジング部分は、その上の結露を促進するようになり得る。これは、閉鎖環境内の雰囲気から湿気を能動的に除去できるという利点を有する。ブリッジング部分は、表面の結露を促進するために、冷却液、ヘッドシンク、または他の適切な手段によって冷却され得る。これは、ブリッジング部分の冷却を制御することにより、選択的に沈降を促進し、故に閉鎖システム内の雰囲気内の湿度を下げることができるため、有効である。ブリッジング部分は、結露を促進するように表面改質され得る。ブリッジング部分は、沈降物収集制御のために親水性表面を備えることができる。したがって、これにより、液体または気体状態間の閉鎖システム全体の水の制御が容易になる。
【００３２】
第１および第２のサブアセンブリは、互いに類似または同一であってもよい。第１および第２のサブアセンブリは、互いの鏡像となるように使用中に配置され得る。
【００３３】
第１のサブアセンブリおよび第２のサブアセンブリは、それぞれ独立して、第１のクランプ手段と第２のクランプ手段との間に配設された内側バーをさらに備えることができ、内側バーは、その上に装着された１つまたは複数の機能的特徴を備える。本明細書で使用する「内側バー」という用語は、機能的特徴を移動可能または静的に容易に装着することができる一般的なトラックまたは装着要素を包含することを意図している。加えて、内側バーは、内側バーに沿って移動可能な１つまたは複数のキャリッジをさらに備えることができ、このキャリッジに対して１つまたは複数の機能的特徴が取り付けられ得る。内側バーは、センサ、スプリンクラ、カメラ、収集手段、熱交換器、ライト、またはそれらの組み合わせからなる群から選択された１つまたは複数の機能的特徴を備えることができる。センサは、温室環境を、特に温室環境内の温度、湿度、ガス濃度（ＣＯ２および酸素など）を監視するように構成され得る。温室が大型水生植物の成長用である場合（つまり、流動床を含むようになっている場合）、システムは、流動床内の水に関する導電率、栄養濃度、ｐＨ、およびその他の変数を監視するセンサを備えることができる。このようなセンサは、上記で説明したように装着されてもよい。センサは、温室内の環境状態を制御するために、制御システムと通信し、および／または熱サイフォンまたは弁などの温室の隣接システムと通信することができる。内側バーは、典型的には細長く、複数の接続可能なリンケージとして提供され得る。
【００３４】
温室サブアセンブリは、さらに、レールと協働するようになっている少なくとも１つの支持要素を備えることができる。「支持要素」という用語は、使用中に支持要素を地面に埋め込むか、または固定してレールに盛り上がったプラットフォームを提供することができるようにレールが装着される、支柱または脚部を指すことを意図している。通常、支持要素およびライナは一緒になって温室の壁を作り、そこで支持要素は補強をもたらし、これは、温室が大型水生植物の成長のためのものである場合は特に重要である。
【００３５】
温室サブアセンブリは、レールと協働するようになっている少なくとも２つの支持要素を備えることができる。２つの支持要素を有することで、１つだけの支持要素に比べて構造的信頼性を向上させることができる。２つの支持要素は、温室に（外部環境に直接隣接する）外壁および（ライナに直接隣接する）内壁を提供することができる。多くの場合、第１および第２の支持要素を一緒に接続する桟が提供される。桟は、サブアセンブリのせん断変形を最小限に抑え、それによってレールを強化するという利点を有する。桟は、支持要素の少なくとも一方または両方に対して略垂直になるように配置され得る。２つの桟が提供され得る。２つの桟を十字型に配置することができ、このときいずれも支持要素の少なくとも１つに対して斜めになっている。あるいは、サブアセンブリを強化するために発泡体を使用することができる。発泡体は、安価であり、配備可能であり、様々な方向の力に抵抗し、それを通して導管の容易な組み込みを可能にして、ブリッジング部分およびそれに接続されるあらゆる機能的特徴との外部連絡を容易にするため、本発明において有用な補強材料となる。第１および／または第２の支持要素は、地面に対してレールを安定させるように構成されたアンカーを備えることができる。
【００３６】
サブアセンブリは、単一の材料片から製造され得る。単一の材料片は、通常は金属であるシート材料であってもよい。多くの場合、必要な温室のサイズに応じて、複数のサブアセンブリを一緒に組み合わせて、より長い単一サブアセンブリを形成することができる。個々のサブアセンブリは、より長いサブアセンブリになるように溶接、接着、圧着、締結、および／または成形され得る。単一の材料片は、単純であり、閉鎖システムに漏れをもたらす可能性のある傷、割れ目、または開口部の可能性が低いという利点を有する。単一の材料片はまた、これが、構成要素内で均一であり、重大な脆弱点がないという利点があるため、互いに固定された個別の部品と比較して、強度および構造能力が向上するという利点も有する。しかし、地形または機器が単一のサブアセンブリの構築を制約するシナリオでは、いくつかの短いサブアセンブリを一緒に接合することができる。ボルト、スポット溶接、または当業者によく知られている他の締結技術を使用して、いくつかのサブアセンブリを互いに接続することができる。
【００３７】
本発明の代替実施形態では、第１のサブアセンブリのレールは、支持要素上に装着される代わりに、地面に取り付けられてもよい。地面内にトラフが形成され、前記トラフの側面が（ライナおよびカバーによって形成された）成長チャンバの側面に構造的支持をもたらす場合があり得る。したがって、レールまたは支持要素自体が成長チャンバの側面に支持をもたらす必要はない。トラフの側面は、通常、成長チャンバの壁（通常はライナ）に過度のストレスをかけないように、ベースに対して約２５°から６０°、より典型的には４０°から５０°、最も典型的には約４５°の角度である。
【００３８】
この構成は、温室が大型水生植物の成長用である場合に採用されることが多い。これには、植物が前記水の表面上で成長できるように、水床が必要である。そのような状況では、多くの場合、レールが地面にアンカー固定され、トラフの側面が成長チャンバの側面に支持をもたらす。これは、温室が構築される地形に応じて、当業者によく知られているようないくつかの方法で達成することができる。しかし、１つまたは複数のレールを所定場所にアンカー固定する一般的な方法は、レールを取り付けることができるトラフの両側で地面に柱を沈めることである。柱を適所に保持するために、コンクリートまたは他の硬化材料を使用することができる。本発明が適合可能であるトラフのサイズに特別な制限はないが、通常の場合、トラフまたは複数のトラフの深さが２メートル未満であり、幅が通常２０メートル未満であり、多くは長さが５０メートルを超える（通常は１００メートルを超える）。
【００３９】
そのような実施形態では、トラフは通常、水が１つまたは複数の仕切りを中心に連続ループまたは回路内で循環することを可能にするレースウェイの形状に形成され、通常１つの中央仕切り部が存在する。１つまたは複数のレールが、トラフの側面に提供され得る。略ドーナッツ形の成長チャンバの囲い込みを容易にするために、レースウェイが採用されている中央の仕切り部に１つまたは複数のレールが設けられ得る。
【００４０】
本発明の他の実施形態と同様に、レールは、レールの長さに沿って配置されたクランプ手段を備えることができる。これは、レールに沿って離間された、通常はレールの長さに沿って均等に分散された複数の個々のクランプ手段の形態であることができる。あるいは、前記クランプ手段は、レールの全長を走る単一の細長いクランプ手段からなることもできる。この場合も、本発明の他の実施形態と同様に、レールおよびクランプ手段は、互いに一体的に関連されてもよく、またはクランプ手段は、レールに取り付けられてもよい。例えば、レール自体はＣ字形状であってもよく、カバーおよび／またはライナがそれらの間に挟まれ得るように、締結要素を受け入れるようになっていてもよい。レールおよびクランプ手段を互いにどのように取り付けることができるかについては特に制限はないが、これは通常、ねじ継手を使用して達成される。さらに、本発明の他の実施形態と同様に、温室の各側面は通常１本のレールのみを備えるが、前記レールは、レールの連結されたまたは連動する一連のセグメントで構成されてもよく、これらセグメントは、一緒になって温室の全長を走るレールを構成する。とはいえ、例えば、クランプ手段の２つのセット、すなわちカバーになり得るものおよびライナになるものを担持するために、２つまたはそれ以上のレールが、温室の単一の側面に平行に提供され得る。そのような状況では、２つのレールは、例えば２つのレールの間に機器を装着することを可能にし得る接続要素によって、閉鎖システムを確実にするように互いに連通する。
【００４１】
雨水を収集するための樋が地面に取り付けられ、１つまたは複数のレールが前記樋に装着される場合があり得る。樋は、柱に取り付けられてもよい。雨水の収集を支援するために、樋は、収集装置に向かって傾斜するように構成され得る。あるいは、レール自体が、クランプ手段が直接取り付けられ得る樋であってもよい。温室の屋根に降り注ぐ雨は屋根を下って樋に流れ込むため、温室の横に樋を配置することが、雨水を収集する有用な方法である。多くは、樋は、屋根の両側に置かれて、屋根の両側から流れる雨を捕捉する。この水は、成長チャンバと連通し得る水貯蔵システム内に貯蔵することができ、捕捉された水を必要に応じてシステムに導入することを可能にする。
【００４２】
多くの場合、カバーおよび／またはライナの張力を緩めるか、または締め付けるために、柱または樋に対するレールの位置を変えることができる。例えば、柱または樋は、レールが接続され得るいくつかの取り付け点を有することができ、それらのそれぞれは、トラフの中央のより遠くまたはより近くで離間され得る。レールを柱（または樋）に取り付けるために使用される手段に特に制限はないが、多くの場合、レールは、ねじ継手を使用して取り付けられる。同様に、上記に加えて、またはその代替として、レールに対するクランプ手段の位置も、カバーおよび／またはライナの張力を緩めるか、または締め付けるように変更されてもよい。
【００４３】
本明細書に説明する他の実施形態と同様に、一般的な場合、ライナおよびカバーのそれぞれが単一の材料片として提供されるが、ライナおよびカバーのそれぞれが複数のライナ構成要素およびカバー構成要素のそれぞれで構成される場合もあり得る。これらの構成要素を、完全なライナまたはカバーを作製するために一緒に接合し、次いで、閉鎖システムを作りだすためにクランプ手段に取り付けることができる。本発明の温室の長さは１００メートルを超える長さになる可能性があるため、カバーまたはライナ材料の単一シートを調達することは困難になり得る。さらに、カバーの一部が損傷した場合、セグメント化されたカバーおよび／またはライナを有することにより、ライナまたはカバー全体を交換する必要なく、損傷した領域にパッチを当てる（しばしば不満足な結果をもたらす可能性がある）必要を回避して、交換用のカバー構成要素またはライナ構成要素を導入することが可能になる。ライナ構成要素および／またはカバー構成要素が一緒に接合される機構は、特に限定されない。例えば、これは、ヒートシール、圧着、ステープル留め、クランプ留め、またはそれらの組み合わせによるものであることができる。閉鎖システムを作りだすために使用されるのと同じクランプ手段を使用して、隣接するライナおよび／またはカバー構成要素が接続される場合があり得る。スナップ嵌めまたは締まり嵌めのコネクタを使用して、２つの隣接するライナまたはカバー構成要素をクランプすることができる。クランプ手段は、通常、たいていはＣ字形状である受容部分から通常、構成された締まり嵌めコネクタであり、このコネクタ内に締結手段を挿入することができ、それにより、その中に挿入されたカバーおよび／またはライナは、締結手段と受容部分との間にしっかりと捕捉される。前記受容部分は、典型的には細長く、通常は少なくとも温室の全長を走る。受容部分は通常、温室の長さに沿って連続しているが、複数の連通する受容セクションから形成されてもよく、または一連の相互接続されたまたは隣接する要素として提供されてもよい。多くは、締結手段は、１つまたは複数の略正弦波のワイヤを備える。多くは、ワイヤは、方形波構成を有する。多くの場合、カバーとライナの両方をしっかりとクランプするために１つのクランプ手段が使用されるが、カバーに第１のクランプ手段が使用され、ライナに第２のクランプ手段が使用される場合もあり得る。
【００４４】
本発明のいくつかの実施形態は、成長チャンバ（特に屋根および側面）の形状を維持するために懸架システムを採用するが、このアプローチに対する代替の解決策も想定される。例えば、支持フレームを提供することができ、その上または下でカバーを伸展させることができるが、これは、通常はカバーの下である。前記支持フレームは、カバーの形状を維持するために、トラフまたはレースウェイ（またはそのチャネル）にまたがる複数の剛性部材を備えることができる。フレームの形状には特に制限はないが、通常は１つまたは複数のアーチを備える。支持フレームを製造する材料の選択には特に制限はないが、通常、金属（例えば鋼またはアルミニウム）、木材、プラスチック、またはそれらの組み合わせなどの軽量で堅牢な耐水性材料から作製される。前記支持フレームは、例えば耐水性を高めることにより、前記フレームの特性を高めるためのコーティングを備えることもできる。フレームは通常、鋼またはアルミニウムなどの金属からしばしば作製される軽量のチューブで構成される。しばしば、鋼はステンレス鋼であり、それによって湿気の多い環境での錆びを防止するが、亜鉛メッキ、電気めっき、または塗装された鋼も企図される。フレームは、システムの各構成要素が普通に地面にアンカー固定され、比較的容易に組み立てることができるように、上記で説明した柱または樋とも連通することができる。さらに、フレームは、カバーをつかむようにリブを付けるか、または別の形でテクスチャー加工されてもよい。
【００４５】
上記で説明したように、温室はスクリーンを備えることもでき、スクリーンは静止していることが多いが、伸縮式または拡張可能な構造のものであってもよい。通常、スクリーンはカバーの外側に装着され、通常は温室の長さおよび幅に沿って、最も一般的には日陰を提供するために長さに沿って移動可能である。スクリーンは、カバーおよびまたはライナを適所に保持するために使用されるのと同じクランプ手段によって所定場所に保持され得る。あるいは、スクリーンに別個のクランプ手段を設けてもよい。
【００４６】
さらに、本発明の他の実施形態と同様に、フレームを使用して主に温室に構造を提供することができるが、成長チャンバ内の圧力を、温室の形状を制御し、および／または衝撃に対する外部表面の弾性を変更するように（ならびに内部成長環境の適合性を改変するように）変更することもできる。これは、風の強い状況では特に有効であり得る。
【００４７】
本発明の第２の態様によれば、レールを備える温室サブアセンブリであって、レールは、第１および第２のクランプ手段（通常、それぞれ第１および第２のインサートを受容するようにそれぞれなっている第１および第２の受容部分）と、第１のクランプ手段と第２のクランプ手段との間に配設されたブリッジング部分とを備える、温室サブアセンブリが提供される。上記で述べたように、そのようなブリッジング部分は、本発明の第１の態様に関して説明したように、１つまたは複数の機能的特徴を備えることができる。
【００４８】
第１および第２の受容部分ならびに第１および第２のインサートは、スナップ嵌め接続によってそれぞれ協働することができる。これは、本発明の第１の目的に関連して上記で説明したような利点を有する。あるいは、平らなまたはＬ字形のレールおよび複数のボルトを使用して、バイススタイルのシーリング配置を採用することができる。
【００４９】
第１および／または第２のレールは、沈降物を収集するように構成された凹部を備えることができる。凹部は、ブリッジング部分からの沈降物を収集するように構成され得る。いくつかの実施形態では、凹部は成長チャンバ内にある。しかし、外部環境から沈降物を収集するために、レールの外部分に凹部が配備され得る場合もあり得る。あるいは、外部結露凹部および内部結露凹部の組み合わせが提供されてもよい。
【００５０】
ブリッジング部分は、本発明の第１の態様に関して上記で説明したような内側バーを備えることができる。
【００５１】
サブアセンブリは、単一の材料片から製造され得る。単一の材料片は、通常は金属であるシート材料であってもよい。あるいは、サブアセンブリは、互いに固定的に取り付けられた別個の材料片を含むことができる。そのような材料片は、溶接、接着、圧着、締結、および／または一緒に成形されてもよい。単一の材料片は、単純であり、閉鎖システムに漏れをもたらす可能性のある傷、割れ目、または開口部の可能性が低いという利点を有する。単一の材料片はまた、これが、構成要素内で均一であり、重大な脆弱点がないという利点があるため、互いに固定された個別の部品と比較して、強度および構造能力が向上するという利点も有する。当業者が理解するように、レールアセンブリの構成要素の製造には、あらゆる形態の強力で非脆性材料が適切である。さらに、使用中の成長環境内に存在する水分を考えると、温室サブアセンブリを製造する材料は、劣化または錆びに強いことが好ましい。これは、サブアセンブリの露出部分に保護コーティングを使用して、および／または本質的に劣化または錆びに耐性のある複合材料または合金材料を選択することによって実現することができる。理想的には、レール用に選択された材料は、圧延可能である。すなわち、これは、機械によって材料のロールから所望の細長い配向に物理的に形成することができる。多くは、温室サブアセンブリは、通常、０．０４ｗｔ．％から０．６ｗｔ．％、好ましくは０．３ｗｔ．％から０．６ｗｔ．％の炭素含有量を有する鋼などの金属から製造され、または通常、最小クロム含有量が１１．５ｗｔ．％であるステンレス鋼を含むことができる。あるいは、ブリッジング部分をアルミニウムから製造して、サブアセンブリのこの部分が成長チャンバの雰囲気にさらされることを前提に腐食を最小限に抑えることもできる。保護コーティングの例は、ポリマコーティング、ワニス、溶射セラミック、塗料、またはその他の不活性コーティングを含む。このようなコーティングは、水、腐食性物質、または摩耗性物質がレールの下にある材料に到達するのを防止することができる。保護層の例は、硬化、熱処理、放射線露出、ショットピーニング、または別の適切な処理にさらされた材料の層を含む。
【００５２】
温室サブアセンブリは、レールと協働するようになっている支持要素をさらに備えることができる。支持要素は、閉鎖システムに壁を提供することができる。支持要素は、地面に固定されるように構成され得る。温室サブアセンブリは、レールと協働するようになっている少なくとも２つの支持要素を備えることができる。２つの支持要素は、１つの支持要素よりも構造的に信頼性が高くなり得る。２つの支持要素は、温室の外壁および内壁を提供することができる。内壁は、閉鎖システム内に含まれてもよく、外壁は、外障壁を提供して、内壁を摩耗／腐食／損傷因子から保護することができる。レールは、第１および第２の支持要素を接続する桟を備えることができる。桟は、使用中に力を受けたときにレールのせん断変形を防止するという利点を有する。桟は、レールを補強するように作用することができる。桟は、支持要素の少なくとも１つに垂直であるか、または支持要素の少なくとも１つに略垂直であるように配置され得る。桟は、少なくとも１つの支持要素に対して斜めになるように配置され得る。２つの桟が提供され得る。２つの桟を十字型に配置することができ、このときいずれも少なくとも１つの支持要素に対して斜めになっている。第１および／または第２の支持要素は、地面に対してレールを安定させるように構成されたアンカーを備えることができる。
【００５３】
通常、温室は、大型水生植物を栽培するためのものである。大型水生植物は、光合成を効率的に行えるように、水、通常は水面で成長する植物である。大型水生植物は微細植物とは異なり、後者は、藻類などの小さな単細胞植物である。大型水生植物を成長させるようになっている典型的な構造は、流動床を伴い、通常、流体（通常は水）が連続的にその周りを循環する複数のチャネルを伴う。流体は、塩水でも淡水でもよく、通常、熱サイフォンおよび多くはフィルタと連通する。あるいは、水は、水タンクと連通していてもよい。本明細書で使用する「流動床」への参照は、通常は温室の底部に水を保持するための容器を説明することを意図している。容器は通常、作物を成長させることができる広い表面積の水が確実に利用可能であるように成形される。１つまたは複数のチャネルが、通常、水およびその表面上で成長する大型水生植物の循環経路を提供するために提供される。そのような配置では、流動床が熱緩衝材として機能することが望ましい場合があり、典型的な実施形態では、雰囲気を成長チャンバへの入口または出口で流体内でバブリングまたは通過させて、２つの流体間の急速な熱交換を促進し、水に対する通気を提供することができる。流動床の周りの水の連続的な移動を確実にするために、循環手段も提供される。このシナリオにおいてカバーおよびライナを作製する材料は、通常、水による浸透を、特に使用中に水が供給される温室のベースを形成するライナを通して防止するように耐水性である。
【００５４】
本発明のさらなる態様では、大型水生植物を成長させるための本発明の第１の態様による温室の使用が、提供される。本発明で使用されるサブアセンブリはレールを備えるが、レールの代替物を採用することも可能である。したがって、本発明のさらなる態様では、本発明の第１の態様による温室であって、レールが、カバーおよび／またはライナを適所に保持する１つまたは複数の手段で置き換えられている、温室が提供される。通常、これらは、アンカー固定、内部および／または外部フレーム、磁石、ライナおよび／またはカバーの端部を地面に沈めること、またはそれらの組み合わせを含む。
【００５５】
ライナおよび／またはカバーの端部は、レールに接続されるのではなく、地面に直接、アンカー固定されてもよい。前記端部は、成長チャンバの縁を適所に保持するために、地中に埋め込まれた柱に直接取り付けることができる。同様に、ライナおよび／またはカバーの端部には、地面にアンカー固定された対応する磁石とさらに連通する磁石を装備することができる。あるいは、ライナおよび／またはカバーの端部は、地面の中、または骨材、コンクリートもしくは砂などの何らかの他の適切な媒体の中に埋めることができる。
【００５６】
あるいは、レールを使用する代わりに、カバーおよび／またはライナの端部を、（成長チャンバの内部および／または外部の位置の）温室を支持するフレームに取り付けることができ、ここでは前記フレーム自体は、地面にアンカー固定される。
【００５７】
次に、添付の図面および図に関して本発明を説明する。
【図面の簡単な説明】
【００５８】
【図１】本発明の温室の概略拡大断面図である。
【図２】図１の温室の一部の概略拡大断面図である。
【図３】図１の温室の接続部分の拡大された概略拡大断面図である。
【図４】図１の温室のレールを示す概略図である。
【図５】温室のレールの代替実施形態を示す概略図である。
【図６】温室のレールの別の代替実施形態を示す概略図である。
【図７】温室のレールの別の代替実施形態を示す概略図である。
【図８】温室のレールの別の代替実施形態を示す概略図である。
【図９】温室のレールの別の代替実施形態を示す概略図である。
【図１０】温室のレールの別の代替実施形態を示す概略図である。
【図１１】温室のレールの別の代替実施形態を示す概略図である。
【図１２】温室のレールの別の代替実施形態を示す概略図である。
【図１３】温室のレールの別の代替実施形態を示す概略図である。
【図１４】温室のレールの別の代替実施形態を示す概略図である。
【図１５】温室のレールの別の代替実施形態を示す概略図である。
【図１６】温室のレールの別の代替実施形態を示す概略図である。
【図１７】温室のカバーとライナとの間の接続を示す概略図である。
【図１８】温室のスクリーン配置を示す概略図である。
【図１９】温室のトラス支持体を示す概略図である。
【図２０】単一の支持要素を備える本発明のサブアセンブリの１つの実施形態を示す図である。
【図２１】本発明の温室の断面図である。
【図２２】本発明の温室と併用されるトラスの斜視図である。
【図２３】本発明のサブアセンブリを貫通する断面図である。
【図２４】本発明の温室と併用されるトラスの側面図である。
【図２５】本発明の温室の切断図である。
【図２６】本発明の１つの実施形態の斜視図および上面図である。
【図２７】本発明の１つの実施形態の上面断面図である。
【図２８】本発明の１つの実施形態の側面断面図である。
【図２９】本発明の一部を貫通する断面の拡大図である。
【図３０】樋の構成要素を貫通する側面断面図である。
【図３１ａ】本発明で使用されるクランプ手段を貫通する断面図である。
【図３１ｂ】本発明で使用されるクランプ手段を貫通する別の断面図である。
【図３２】発明のクランプ手段と適合可能な締結具を示す図である。
【発明を実施するための形態】
【００５９】
図１に示すように、温室１が提供される。温室１は、第１のサブアセンブリ１００と、第２のサブアセンブリ２００と、カバー３００と、ライナ４２０と、ベースシート４１０、４１２と、下側固定アセンブリ５００と、上側固定アセンブリ６００とを有する。
【００６０】
第１のサブアセンブリ１００は、レール１１０と、第１のインサート１２０と、第２のインサート１３０とを備える。レール１１０は、図２に最もよく示されており、この図では、レール１１０が、外側足部１１３および外側アーム１１８を有する外側支持要素と、第１の受容部分１１２と、ブリッジング部分１１６と、第２の受容部分１１４と、内側アーム１１９および内側足部１１５を有する内側支持要素とを備えることを示し、これらは、図４で最もよく分かるように、略台形形状の断面を形成するように配置される。外側アーム１１８および内側アーム１１９はそれぞれ長さを有し、外側アーム１１８の長さは、内側アーム１１９の長さよりも長く、使用中に結露を成長チャンバに向けて誘導するために傾斜を作りだす。レール１１０は細長く、その特徴は、図２には示されていない。図２の概略的に示す図では、レール１１０は、ページの内外に細長い。レール１１０は、その細長い方向に長さを有し、第１および第２のインサート１２０、１３０はそれぞれ、その細長い方向に長さを有する。第１および第２のインサート１２０、１３０の長さは、レール１１０の長さと等しくてもよく、または略等しくてもよい。
【００６１】
第１のインサート１２０は、第２のインサート１３０と同じである。第１のインサート１２０および第２のインサート１３０はともに、断面が細長く、略円形である。図３に示すように、第１インサートおよび第２インサートは、どちらも略中空であり、略筒状であり、内側仕切りを備える。内側仕切りは、第１および第２のインサートを強化し、第１および第２のインサートの外側シリンダーの変形を防止するように機能する。第１および第２のインサート１２０、１３０は、図３で最もよく分かるように、スナップ嵌め接続により、それぞれ第１および第２の受容部分１１２、１１４内に受容できるように構成される。第２のサブアセンブリ２００は、第１のサブアセンブリ１００と同じである。図１に示す配置では、第２のサブアセンブリ２００は、これが第１のサブアセンブリ１００の鏡像となるように配置される。
【００６２】
カバー３００は、平らで柔軟な材料のシートである。カバー３００は、少なくとも部分的に半透明であるか、または少なくとも部分的に透明であり、光、特に太陽放射が通過できるようにする。カバーは、ポリマ材料を含むことができる。意図する用途に適する（すなわち、生分解性または水吸収性ではなく、耐久性があり、使用中に割れにくく、シートに製造できる）限り、ポリマ材料の選択に特定の制限はない。適切な材料の例は、ポリ（エチレン）である。
【００６３】
ライナ４２０は、材料の平面シートである。ライナ４２０は、ポリ（エチレン）などの流体不透過性の材料を含む。意図する用途に適する（すなわち、不透過性であり、生分解性または水吸収性ではなく、すなわち耐久性があり、使用中に割れにくく、シートに製造できる）限り、ポリマ材料の選択に特定の制限はない。
【００６４】
２つのベースシート４１０、４１２は、材料の平面シートである。２つのベースシート４１０、４１２は、ポリマシート、金属シート、または任意の他の適切な材料などの材料を含む。２つのベースシートは、ライナを地面から保護する機能を有する。詳細には、２つのベースシートは、ライナを、例えば摩耗材料、岩、または穴を掘る動物から保護するように構成される。
【００６５】
下側固定アセンブリ５００は、下側本体５２０と、１つまたは複数の内側バー特徴５１２を取り付けることができる１つまたは複数のキャリッジ５１０とを備える。１つまたは複数のキャリッジ５１０は、内側バーに沿って移動可能である。１つまたは複数の内側バー特徴５１２は、センサ、スプリンクラ、カメラ、収集手段、熱交換器、ライトまたはそれらの組み合わせからなる群から選択することができる。
【００６６】
上側固定アセンブリ６００は、線材６１０と、少なくとも１つの接続部材６１２と、上側取付具６１４と、下側取付具６２０とを備える。
【００６７】
第１のサブアセンブリ１００、第２のサブアセンブリ２００、カバー３００、ライナ４２０、２つのベースシート４１０、４１２、下側固定アセンブリ５００および上側固定アセンブリ６００は、図１に示すように配置される。閉鎖システムを形成するために：カバー３００の第１の縁部３０１は、レール１１０の第１の受容部分１１２と第１のサブアセンブリ１００の第１のインサート１２０との間にクランプされる。ライナ４２０の第１の縁部４２１は、第２の受容部分１１４と第１のサブアセンブリ１００の第２のインサート１３０との間にクランプされる。カバー３００の第２の縁部３０２は、レール２１０の第１の受容部分２１２と第２のサブアセンブリ２００の第１のインサート２２０との間にクランプされる。ライナ４２０の第２の縁部４２２は、第２の受容部分２１４と第２のサブアセンブリ２００の第２のインサート２３０との間にクランプされる。
【００６８】
上側固定アセンブリ６００は、カバー３００に取り付けられ、特に下側取付具６２０は、カバー３００の内側に取り付けられ、上側取付具６１４は、カバー３００の上側に取り付けられる。上側取付具６１４は、接続部材６１２によって線材６１０に取り付けられる。線材６１０は、図１９に関連して後述するように、トラスなどの支持構造体に接続される。したがって、上側固定アセンブリ６００は、カバー３００を懸架状態に支持する。
【００６９】
下側固定アセンブリ５００は、上側レール５２０が閉鎖システムの外部にあり、１つまたは複数のキャリッジ５１０および１つまたは複数の内側バー特徴５１２が閉鎖システムの内部にあるように配置される。
【００７０】
図４は、図１から図３に関連して説明した第１の実施形態のレール１１０の拡大概略図である。図５から図１６は、温室のレールの代替実施形態を示す概略図である。図５から図１６の実施形態の特徴が図４の第１の実施形態のレールの特徴と同じであるか、または対応する場合、明確にするために同じ参照番号が使用されている。
【００７１】
５１０、８１０、８２０、８３０、８４０、８５０、８６０、８７０、８８０、８９０、９００、９１０、９２０に説明するすべてのレールは、第１の受容部分と、第２の受容部分と、外側支持要素または内側支持要素などの支持手段とを有する。図４から図１６に関連するレールの各実施形態は別々に説明されているが、説明するレールの様々な特徴は交換可能であり、レールは、それぞれの実施形態において説明する特徴の２つ以上を有し得ることが当業者によって理解されるであろう。
【００７２】
第１の実施形態のレール１１０は、レールの（第１の受容部分１１２、第２の受容部分１１４およびブリッジング部分１１６が内部に画定される）上面が、外側足部１１３および内側足部１１５と整列せず、特に平行でないという点で、説明するレールの他の実施形態とは異なる。（図５から図１６に関連する）説明する他の実施形態のレールでは、レールの（第１の受容部分１１２、第２の受容部分１１４、およびブリッジング部分１１６が内部に画定される）上面は、外側足部１１３および／または内側足部１１５と整列し、特に平行である。
【００７３】
図５は、第２の実施形態のレール８１０を示す。第２の実施形態のレール８１０は、沈降物８１２を収集するように構成された凹部８１１を備えるという点で第１の実施形態のレール１１０とは異なる。凹部８１１は、断面が略または全体的に半円形である。
【００７４】
図６は、第３の実施形態のレール８２０を示す。第３の実施形態のレール８２０は、ブリッジング部分１１６がより広い横方向寸法を有するという点で第１の実施形態のレール１１０とは異なる。ブリッジング部分１１６は、結露８２１を促進するために冷却され、および／または表面改質される。
【００７５】
図７は、第４の実施形態のレール８３０を示す。第４の実施形態のレール８３０は、ブリッジング部分１１６が沈降物８３２を収集するように構成された凹部８３１を備えるという点で第１の実施形態のレール１１０とは異なる。凹部８３１は、断面が正方形または長方形である。
【００７６】
図８は、第５の実施形態のレール８４０を示す。第５の実施形態のレール８４０は、外側アーム１１８が第１の開口８４１および第２の開口８４２を画定するという点で第１の実施形態のレール１１０と異なる。第１の開口８４１および第２の開口８４２は、流体、特に空気が第１および第２の開口８４１、８４２を通過できるように構成される。
【００７７】
図９は、第６の実施形態のレール８５０を示す。第６の実施形態のレール８５０は、ブリッジング部分１１６がブリッジングレールを備え、ブリッジングレールは、ステム８５２およびヘッド８５１を有するという点で、第１の実施形態のレール１１０とは異なる。ブリッジングレールは、センサ、スプリンクラ、カメラ、収集手段、熱交換器、ライト、またはそれらの組み合わせなどの特徴の取り付けに合わせて構成される。
【００７８】
図１０は、第７の実施形態のレール８６０を示す。第７の実施形態のレール８６０は、レール８６０をレール８６０の周囲環境にアンカー固定するためのねじ８６１などの取り付け手段をレール８６０が備えるという点で第１の実施形態のレール１１０とは異なる。
【００７９】
図１１は、第８の実施形態のレール８７０を示す。第８の実施形態のレール８７０は、レール８７０と協働するようになっている桟アセンブリ８７１、８７２、８７３を備えるという点で、第１の実施形態のレール１１０とは異なる。桟アセンブリは、支柱８７１と、内側取り付け手段８７２と、外側取り付け手段８７３とを備える。内側および外側の取り付け手段８７２、８７３の一方または両方は、ねじ接続によって支柱８７１に取り付けられ得る。桟アセンブリは、外側アーム１１８および内側アーム１１９を互いに対して支持するように作用する。
【００８０】
図１２は、第９の実施形態のレール８８０を示す。第９の実施形態のレール８８０は、アンカー８８１、８８２を備えるという点で、第１の実施形態のレール１１０とは異なる。図１２に示す第９の実施形態のレール８８０のアンカーは、外側支持体１１３の隆起部８８１と、岩、砂利、砂、ペレット重り、または任意の他の適切な充填材などの充填材８８２とで形成される。レール８８０の隆起部８８１は、充填材８８２を含むように作用する。
【００８１】
図１３は、第１０の実施形態のレール８９０を示す。第１０の実施形態のレール８９０は、第１の保持ねじ８９１および第２の保持ねじ８９２を備えるという点で、第１の実施形態のレール１１０とは異なる。
【００８２】
図１４は、第１１の実施形態のレール９００を示す。第１１の実施形態のレール９００は、ブリッジング部分１１６がワイヤ９０２を受容するためのワイヤ保護／保持特徴９０１を備えるという点で、第１の実施形態のレール１１０とは異なる。
【００８３】
図１５は、第１２の実施形態のレール９１０を示す。第１２の実施形態のレール９１０は、内側アーム１１９が外側アーム１１８を越えて延びるという点で、第１の実施形態のレール１１０と異なる。内側アーム１１９は、地面内に延びるように構成され、レールへのアンカーとして機能する。
【００８４】
図１６は、第１３の実施形態のレール９２０を示す。第１３の実施形態のレール９２０は、熱交換器または凝縮器９２１を備えるという点で、第１の実施形態のレール１１０とは異なる。図１６に示す熱交換器または凝縮器９２１は、一連の羽根９２２、特に６つの羽根を有する。
【００８５】
図１７は、第２の実施形態の上側固定アセンブリ６５０の一部の斜視図を示す。先に説明した上側固定アセンブリ６００と同様に、図１７に示す第２の実施形態の上側固定アセンブリ６５０は、カバー３００に取り付けられる。第２の実施形態の上側固定アセンブリ６５０は、以下を有するという点で第１の実施形態の上側固定アセンブリ６００と同様の構成要素を有する：（下側取付具６２０と同等の機能を有する）下側取付具６５８、（上側取付具６１４と同等の機能を有する）上側取付具６５４、（接続部材６１２と同等の機能を有する）接続部材６５２、および（線材６１０と同等の機能を有する）線材６５１。下側取付具６５８は、円盤形状であり、ループなどの取り付け手段を有するテーパ部分６５９を有する。上側取付具６５４はループであり、接続部材６５２との一体部品であってもよい。上側取付具６５４および接続部材６５２は、ロープであってもよい。
【００８６】
第２の実施形態の上側固定アセンブリ６５０は、カバー３００に取り付けられ、特に、下側取付具６５８は、カバー３００を通り抜けて上側取付具６５４に取り付けられる。特に、上側取付具６５４のループは、下側取付具６５８のテーパ部分６５９のループを通過することができる。上側取付具６５４は、接続部材６１２によって線材６５１に取り付けられる。線材６５１は、図１９に関連して後述するように、トラスなどの支持構造体に接続される。したがって、上側固定アセンブリ６００は、カバー３００を懸架状態に支持する。
【００８７】
図１８は、温室のスクリーンアセンブリ７５０およびトラス７００を示す。
【００８８】
スクリーンアセンブリ７５０は、スクリーン７５２と、複数のスクリーン線材７５１、７５２、７５３、特に図１８に示すような３つのスクリーン線材とを有する。スクリーン７５２は、スクリーンの一方の側（特に、スクリーンの上側）に入射する光が、スクリーンの他方側（特に下側）から出る光よりもより高いエネルギー、特に高い強度を有するように、光を少なくとも部分的に吸収または反射するように構成される。スクリーン線材７５１、７５２、７５３は、スクリーン７５２を温室の他の構成要素に対して支持するように構成される。
【００８９】
トラス７００は、支持構造体であるように構成される。詳細には、トラス７００は、温室の線材６１０／６５１、７６１、７６２、７６３などの線材を張力下で支持するように構成される。
【００９０】
図１９は、温室の一部の断面を示し、そこでは、トラス７００、スクリーン線材７５１、７５２、７５３、線材６１０／６５１、接続部材６１２／６５２、およびスクリーン３００が示される。トラス７００は、図１９に示すように、断面が三角形であり、複数の接続支柱７０１を備える。トラス７００は、その全長にわたって（図１９に示すような）三角形の断面を有することができ、またはバーによって接続された図１９に示すような一連の断面を有することができる。
【００９１】
当業者によって理解されるように、温室の様々な特徴が詳細に説明されてきたが、これらの特徴は有効であるが、本発明を実施するのに必要ではない。特徴の２つ以上の実施形態が説明されている場合、これらの実施形態は交換可能であり、これらの実施形態の有効な特徴は交換可能であるか、または組み合わせて温室に使用できることも当業者には理解されよう。
【００９２】
２つのサブアセンブリを有する温室が説明されているが、１つのサブアセンブリのみを有する温室が可能であることが理解されるであろう。サブアセンブリが１つしかない温室では、カバーおよびライナは互いに取り付けられ、カバーとライナの両方を形成するために折り畳まれた単一のシートであってもよい。
【００９３】
図２０は、上部に装着されたレール８１１用の支持要素として作用する単一のコンクリートパイロン８１７を含む、本発明によるサブアセンブリ８００を示す。レール８１１は、ボルト８１３によってコンクリートパイロン８１７にボルト締めされる。代替の実施形態では、それぞれカバー８０７およびライナ８０９のクランプ部分として作用する２つの「ハーフレール」８０１、８０２が詳細に示される。これらは、パイロンが２つのハーフレール８０１、８０２との間にブリッジング部分を作りだすように、コンクリートパイロン８１７などの支持要素上に離間して取り付けることができる。あるいは、単一のレール８１１が採用されてもよく、この場合２つの受容部分間のブリッジング部分は、レールと一体である。スナップ嵌めコネクタ８０３は、ハーフレール内の凹部８１０とのクランプ作用を作りだすために提供される。また、使用中に、凹部８１０およびスナップ嵌めコネクタ８０３の境界間に挟まれる中間スナップ嵌めコネクタ８０５が提供される。これにより、カバー８０７またはライナ８０９の間の良好なシールが確実にされる。レール８１１またはハーフレール８０１、８０２は、ナットおよびボルト８１５、８１３などの様々な手段によって支持要素に取り付けることができる。
【００９４】
図２１は、外側および内側クランプ部分（図示せず）それぞれにおいて、第１のレール８５６に取り付けられたポリマカバー８５２およびポリマライナ８５４を有する温室８５０の斜視図を示す。ライナ８５４が当接するベース８５８が、提供される。カバー８５２およびライナ８５４はまた、第２のレール８６２と同様の形で協働する。支持ケーブル８６４が、カバー８５２の上方にアンカー部材８６６間に懸架される。カバー８５２は、複数の接続部材８６８を介してケーブル８６４と連通する。
【００９５】
図２２は、アンカー部材１０００の例をより詳細に示す。横および斜めのクロスバー１００９、１０１１で接続された３つの支柱１００３が、提供される。３本の支持ケーブル１００７のそれぞれは、対応する支柱１００３上に載り、それぞれは、地面に埋め込まれ、場合によってはコンクリートで所定の場所に固定されるアンカープレート１００５に取り付けられる。図２４は、これを断面の側面としてより詳細に示す。アンカープレート１００５は、ケーブル１００７が取り付けられ得るリングまたはアイレット１０１５を形成するために適所に固定されたまたはねじ止めされたアンカー点セットを有するコンクリートのブロックであり得る。
【００９６】
図２３は、カバー８０７およびライナ８０９それぞれを所定場所に保持することができるクランプ部分をそれぞれ作りだす２つの離間した「ハーフレール」８１１を使用するレール８０４の断面を示す。ナット８１５およびボルト８１３は、ハーフレール８１１をレール８０４の本体に取り付けるために使用される。カバー８０７およびライナ８０９は、インサート８０３、８０５によってハーフレール８１１の凹部に所定場所にクランプされ得る。レールの本体は、固定具または接着剤８１９を使用して地面またはベースプレートに固定され得る。
【００９７】
図２５は、本発明の温室９５０の切断図を示す。ポリマカバー９５１は、大型水生植物が栽培され得る水の流体床９５７が水チャネルの形態で内部に提供される成長チャンバを囲む。カバーが適所に保持され、過度に垂れ下がらないことを確実にするために、支持ケーブルが設けられる。間隔をあけて表面から大型水生植物を抜くために、収穫機９５５が提供される。成長チャンバ内の雰囲気は、ファンシステム９５９によってチューブ９６１の地下ネットワーク内を循環し、温度、湿度、および雰囲気組成は、成長チャンバに戻される前に受動緩衝システム９６３を使用して制御される。
【００９８】
図２６は、本発明の代替の実施形態の斜視図を示す。温室１００１の成長チャンバ（図示せず）は、地面（図示せず）から掘削された土工レースウェイの全長にわたって延びる２つの凹状の隣接する平行なプラスチックトンネル１００２ａ／１００２ｂ間に形成される。トンネルの屋根は、複数のアーチ型の亜鉛メッキ鋼柱１００８上に張られたプラスチックカバー１００４を備える。カバー１００４は、２つの隣接するトンネルのベースおよび縁部に設けられた樋１０１０ａ、１０１０ｂ、１０１０ｃのそれぞれにクランプ手段（図示せず）を使用して適所にクランプされる。
【００９９】
図２７は、図２６に示す温室の中央を上から見た断面図である。地面１１１１から掘削された土工レースウェイ１１０９が示され、これは、中央仕切り部１１０３と、使用中に水をその周りで循環させることができるレースウェイ１１０９の両端１１０６ａ／１１０６ｂにおいて接続された２つのチャネル１１０５ａ／１１０５ｂとを備える。複数の柱１１１２が示されており、ここに、（図２６に示すものなどの）樋またはレールを取り付けることができる。レースウェイ１１０９の寸法は通常、長さ約２００ｍ、幅２０ｍ、深さ約１．５ｍである。
【０１００】
図２８は、図２６の温室１２０１の断面を示す。レースウェイ１２０３の両端（図示せず）において接続された２つのチャネル１２０７ａ／１２０７ｂを形成するために、土工レースウェイ（図示せず）が、地面１２０５内に形成される。ライナ１２０９が各チャネル１２０７ａ／１２０７ｂ内に設けられ、ライナ１２０９は、ベース１２１１に当接し、ライナの各端は、樋１０１０ａ／１０１０ｂ／１０１０ｃのアーム１２１４上に装着された締まり嵌めクリップ１２１３を使用して適所にクランプされる。前記樋は、温室カバー１２１９から流れる雨をキャッチするために、各チャネル１２０７ａ／１２０７ｂの縁部に配置される。アーチ型の亜鉛メッキ鋼棒１２２０が、チャネル１２０７ａ／１２０７ｂのそれぞれにまたがって提供され、その上にカバー１２１９が伸展される。
【０１０１】
レースウェイ（図示せず）の周囲周りに、中央仕切り部１２２２の長さに沿って提供される複数の柱１２２１ａ、１２２１ｂ、１２２１ｃが、提供される（そのうちの３つの１２２１ａ、１２２１ｂ、および１２２１ｃが、図２８に示される）。柱１２２１ａ、１２２１ｂ、１２２１ｃは、地面１２０５内の穴１２２３内で地面内に下向きに延び、そこにコンクリート１２２５が注がれて、柱を適所に保持する。樋１０１０ａ、１０１０ｂおよび１０１０ｃはそれぞれ、ねじによってそのそれぞれの柱１２２１ａ／１２２１ｂ／１２２１ｃに接続される。ライナ１２０９とカバー１２１９の両方を締まり嵌めクリップ１２１３に挿入して、成長チャンバ１２２７の閉鎖システムを形成することができる。
【０１０２】
図２９は、正方形管状レール１３０５およびＣ字形受容部分１３０７が取り付けられた樋１０１０のアーム１３０３の１つの拡大画像を示す。図２９では、アームは、複数の穴１３０９を含み、そこに正方形管状レール１３０５およびＣ字形受容部分１３０７がねじ止めされる。あるいは、アームは、複数の穴１３０９を含み、そこにＣ字形受容部分１３０７が直接ねじ止めされる。ライナ１３１１およびカバー１３１３も示される。
【０１０３】
図３０では、両側の２つのアーム１３０３を装備した樋１０１０が示される。樋１０１０は、地面（図示せず）に埋め込まれ、コンクリート１３１１によって囲まれた柱１２２１に取り付けられる。
【０１０４】
図３１ａおよび図３１ｂは、締まり嵌めクリップ１４０１、１４０２の断面を示す。締まりクリップ１４０１のＣ字形受容部分１４０７は、正方形管状レール１４０５に（ねじ１４１１により）ねじ止めされているが、前記受容部分１４０７は、正方形管状レール１４０５と一体化であってもよく、または別の形で溶接などによって一緒に固定されてもよい。カバー１４１３（および／またはライナ、図示せず）は、Ｃ字形受容部分１４０７と、Ｃ字形受容部分１４０７に挿入された締結具１４１９との間の所定場所に挟まれる前に、締まり嵌めクリップ１４０３のＣ字形受容部分１４０７に通され得る。前記締結具１４１９は、通常、細長いＣ字形受容部分１４０７の全長を走る細長い締付具である。細長い締結具は、方形波のプロファイルを有し（図３２を参照）、通常、鋼またはアルミニウムから作製された弾性の変形可能な弾性材料から製造される。Ｃ字形受容部分１４０７は、通常、アルミニウムから作製される。カバー１４１３（および／またはライナ、図示せず）はいずれも、締まり嵌めクリップ１４０１、１４０２と協働する。
【図１】
2020532319.tif 000003
【図２】
2020532319.tif 000004
【図３】
2020532319.tif 000005
【図４】
2020532319.tif 000006
【図５】
2020532319.tif 000007
【図６】
2020532319.tif 000008
【図７】
2020532319.tif 000009
【図８】
2020532319.tif 000010
【図９】
2020532319.tif 000011
【図１０】
2020532319.tif 000012
【図１１】
2020532319.tif 000013
【図１２】
2020532319.tif 000014
【図１３】
2020532319.tif 000015
【図１４】
2020532319.tif 000016
【図１５】
2020532319.tif 000017
【図１６】
2020532319.tif 000018
【図１７】
2020532319.tif 000019
【図１８】
2020532319.tif 000020
【図１９】
2020532319.tif 000021
【図２０】
2020532319.tif 000022
【図２１】
2020532319.tif 000023
【図２２】
2020532319.tif 000024
【図２３】
2020532319.tif 000025
【図２４】
2020532319.tif 000026
【図２５】
2020532319.tif 000027
【図２６】
2020532319.tif 000028
【図２７】
2020532319.tif 000029
【図２８】
2020532319.tif 000030
【図２９】
2020532319.tif 000031
【図３０】
2020532319.tif 000032
【図３１ａ】
2020532319.tif 000033
【図３１ｂ】
2020532319.tif 000034
【図３２】
2020532319.tif 000035
【国際調査報告】
2020532319.tif 000036
2020532319.tif 000037
2020532319.tif 000038